(57)【要約】【課題】プリンタの用紙排出方向下流側で用紙を受ける用紙ガイド板の取付け位置と、用紙を積載する底板の取付け傾斜角とを、容易にワンタッチで変更することのできるプリンタの用紙スタッカを提供すること。【解決手段】用紙Ｐの排出方向下流側で用紙を受ける用紙ガイド板１３を、スライド手段２０によってその取付け位置を変更できる構造にするとともに、用紙Ｐを積載する底板１２の取付け傾斜角を傾斜調整手段３０によって変更できる構造にし、工具等を用いることなく容易にワンタッチで変更できる構造にした。【選択図】          図２
2004203549.tif 000002
【特許請求の範囲】
【請求項１】
プリンタで所定の情報が印字され、排出口から順次排出される用紙を多数枚積層させて回収する用紙スタッカにおいて、
前記用紙の排出方向に向かって左右方向に配置された側板と、
該側板に挟持された底板と、
該底板に取付けられ、前記排出方向下流側で前記用紙を受ける用紙ガイド板とで構成され、
前記用紙ガイド板をスライドさせて前記排出方向における取付け位置を変更するスライド手段が設けられていることを特徴とするプリンタの用紙スタッカ。
【請求項２】
前記底板の取付け傾斜角を変更する傾斜調整手段が設けられていることを特徴とする、請求項１に記載のプリンタの用紙スタッカ。
【発明の詳細な説明】
【０００１】
【発明の属する技術分野】
本発明はプリンタの用紙スタッカに関し、 特に種々の用紙の寸法等の条件に適応可能なプリンタの用紙スタッカに関する。
【０００２】
【従来の技術】
多数枚の用紙に印字情報を印字するプリンタでは、用紙の排出口に用紙スタッカを取付け、排出された用紙を多数枚積層させて回収する。この用紙スタッカは用紙を積載する底板と、底板の左右に垂直に立設する側板と、用紙の排出方向の下流側で用紙を受ける用紙ガイド板とで構成され、プリンタの排出口から落下した用紙は用紙ガイド板で先端が揃えられ、底板上に順次積層される。
【０００３】
ところで、用紙が排出されるプリンタの排出口の高さはプリンタによって種々異なっている。このため用紙が用紙ガイド板で揃えられず、乱雑に積層されたり、また用紙の寸法によっては落下中に用紙が裏返しになってしまうこともあった。
【０００４】
このような問題を解決するために、底板を上下方向に平行移動して高さを変更して固定するとともに、底板の高さに合わせて用紙ガイド板を磁石を用いて側板に固定する方式の用紙スタッカが提案されている（例えば、特許文献１参照。）。
【０００５】
【特許文献１】
特開２００２−０３７５１０号公報
【０００６】
【発明が解決しようとする課題】
ところがこの特許文献１に記載された従来の用紙スタッカでは、底板は側板に形成された上下方向の２本の長孔にボルト及びナットで固定されており、底板の高さを変更する場合は、工具を用いて行わなければならず、この操作が煩雑であった。また、底板の取付け角度も固定されており、プリンタの排出口高さ及び用紙の寸法に合わせた用紙の積層角度をとることができなかった。
【０００７】
また、用紙ガイド板は磁石が取付けられた磁石固定式であるため、位置調整は容易であるものの、容易に取外せるので紛失等の恐れがあり、保管には注意が必要であった。
【０００８】
本発明は、このような事情に鑑みてなされたもので、プリンタの用紙排出方向下流側で用紙を受ける用紙ガイド板の取付け位置を、用紙ガイド板を取外すことなく、容易にワンタッチで変更することのできるプリンタの用紙スタッカを提供することを目的とする。
【０００９】
また、用紙ガイド板の取付け位置を容易にワンタッチで変更することができるとともに、用紙を積載する底板の取付け傾斜角を、容易にワンタッチで変更することのできるプリンタの用紙スタッカを提供することを目的とする。
【００１０】
【課題を解決するための手段】
前記目的を達成するために、請求項１に記載の発明は、プリンタで所定の情報が印字され、排出口から順次排出される用紙を多数枚積層させて回収する用紙スタッカにおいて、前記用紙の排出方向に向かって左右方向に配置された側板と、該側板に挟持された底板と、該底板に取付けられ、前記排出方向下流側で前記用紙を受ける用紙ガイド板とで構成され、前記用紙ガイド板をスライドさせて前記排出方向における取付け位置を変更するスライド手段が設けられていることを特徴としている。
【００１１】
請求項１の発明によれば、用紙の排出方向下流側で用紙を受ける用紙ガイド板は、スライド手段によってスライドさせて取付け位置を変更できるので、工具等を用いることなく容易にワンタッチで取付け位置を変更することができる。
【００１２】
また、請求項２に記載の発明は、請求項１の発明において、前記底板の取付け傾斜角を変更する傾斜調整手段が設けられていることを特徴としている。
【００１３】
請求項２の発明によれば、用紙の排出方向下流側で用紙を受ける用紙ガイド板は、スライド手段によって取付け位置を変更できるとともに、用紙を積載する底板の取付け傾斜角を傾斜調整手段によって変更できるので、用紙ガイド板の取付け位置を容易にワンタッチで変更することができるとともに、用紙を積載する底板の取付け傾斜角も、工具等を用いることなく容易にワンタッチで変更することができる。
【００１４】
【発明の実施の形態】
以下添付図面に従って本発明に係るプリンタの用紙スタッカの好ましい実施の形態について詳説する。尚各図において、同一の部材については同一の番号を付している。
【００１５】
図１は、本発明に係るプリンタの用紙スタッカとプリンタの外観を表わす斜視図である。また、図２は用紙スタッカの構造を説明する側断面図であり、図の左側が正面手前側で、図の右側が奥側を表わしている。図３は図２におけるＡ−Ａ断面図であり、図４は図２におけるＢ−Ｂ断面図である。
【００１６】
用紙スタッカ１０は、側板１１Ａ、１１Ａを有する本体フレーム１１と、側板１１Ａ、１１Ａに挟持され、プリンタ５０の排出口５１から排出された用紙Ｐを積載する底板１２と、底板１２に取付けられ、排出方向下流側で前記用紙Ｐを受けて積層させる用紙ガイド板１３と、用紙ガイド板１３を排出方向に沿ってスライドさせて位置決めするスライド手段２０と、底板１２の取付け傾斜角を変更する傾斜調整手段３０とから構成されている。
【００１７】
図２、３、及び４に示すように、底板１２には、正面手前側端部で下方に折り曲げられた正面折曲げ部１２Ｆが形成され、両側端部も下方に折り曲げられた側面折曲げ部１２Ｄが形成され、奥側端部が上方に折り曲げられた上方折曲げ部１２Ｅが形成されている。これらの折曲げ部は、底板１２の剛性アップの役目を果たすとともに、上方折曲げ部１２Ｅは、プリンタ５０の排出口５１から排出された用紙Ｐが底板１２から滑落するのを防止している。
【００１８】
左右両側の側面折曲げ部１２Ｄには、手前側の各々に第１のガイドピン２２が取付けられ、また、奥側の各々に第２のガイドピン２３が取付けられている。この第１のガイドピン２２、２２は、本体フレーム１１の側板１１Ａ、１１Ａの手前側に夫々形成された第１のガイド長孔１１Ｂと係合し、第２のガイドピン２３、２３は、側板１１Ａ、１１Ａの奥側に夫々Ｆ字形に形成された第２のガイド長孔１１Ｃと係合している。
【００１９】
この第１のガイドピン２２、第１のガイド長孔１１Ｂ、第２のガイドピン２３、及び第２のガイド長孔１１Ｃで底板１２の取付け傾斜角を変更する傾斜調整手段３０を構成し、本実施の形態では３段階の取付け傾斜角が選択できるようになっている。
【００２０】
図１に示すように、底板１２の上面には、用紙Ｐの排出方向に沿って絞り加工された２本の凹部１２Ａ、１２Ａが形成され、夫々の凹部１２Ａの底部には長孔１２Ｂが形成されている。また、２本の長孔１２Ｂ、１２Ｂに対して底板１２の幅方向内側に、夫々長孔１２Ｂと平行に複数の位置決め孔１２Ｃ、１２Ｃ、…が１列ずつ形成されている。また、この２列の位置決め孔１２Ｃ、１２Ｃ、…の列と列との中央には開口部１２Ｇが形成されている。
【００２１】
図２、図３、及び図４に示すように、用紙ガイド板１３は下部両端側に折曲げ部１３Ａが形成されている。両端側の折曲げ部１３Ａにはガイドピン１５がネジ止めされている。このガイドピン１５は、レバー部材１４に形成された孔１４Ａと底板１２に形成された長孔１２Ｂに挿通され、長孔１２Ｂに沿ってスライド自在であるとともに、底板１２及びレバー部材１４の肉厚に対して高さ方向に適宜の隙間（ガタ）をもって折曲げ部１３Ａに取付けられている。このことから、後記するレバー部材１４の押し下げと圧縮バネ１７、１７による押し上げの動きをも可能にしている。
【００２２】
ガイドピン１５の手前側には、底板１２の長孔１２Ｂの幅よりも大径の頭部を有する支柱１６が、２本の長孔１２Ｂ、１２Ｂとレバー部材１４に形成された２個の孔１４Ｂ、１４Ｂを挿通して夫々設けられ、夫々の支柱１６の先端に取付けられたＥ−リング１８とレバー部材１４との間には圧縮バネ１７とワッシャ１９が設けられている。レバー部材１４は、このワッシャ１９を介して伝達される圧縮バネ１７のばね力によって底板１２に押圧されている。
【００２３】
レバー部材１４に形成された２個の孔１４Ｂ、１４Ｂに対して底板１２の幅方向の夫々の内側には、底板１２に２列に形成された複数の位置決め孔１２Ｃ、１２Ｃ、…の内の各１個の位置決め孔１２Ｃと係合する位置決めピン２１、２１が固定されている。位置決めピン２１、２１の先端は球面になっており、位置決め孔１２Ｃ、１２Ｃに挿入され易い形状になっている。
【００２４】
レバー部材１４は、２箇所で９０°に折り曲げられて断面クランク型に形成され、手前側が底板１２の開口部１２Ｇから上方に突き出ている。また、ガイドピン１５、１５が挿通されている側の端部は曲げ頂部１４Ｃを形成するように僅かに下方に曲げられている。
【００２５】
レバー部材１４は圧縮バネ１７、１７によってガイドピン１５の部分を支点として回動可能なように底板１２に押圧され、レバー部材１４に取付けられている位置決めピン２１、２１が底板１２に形成された位置決め孔１２Ｃ、１２Ｃに挿入されることによって底板１２に位置決めされる。
【００２６】
レバー部材１４の手前側を圧縮バネ１７、１７のばね力に逆らって下方に押し下げると、レバー部材１４はガイドピン１５の部分を支点として僅かに回動し、位置決めピン２１、２１が位置決め孔１２Ｃ、１２Ｃから離脱する。位置決めピン２１、２１が離脱すると、ガイドピン１５、１５が長孔１２Ｂ、１２Ｂにガイドされて移動可能となり、ガイドピン１５を介してレバー部材１４に結合されている用紙ガイド板１３が同時にスライド移動可能となる。 この時、レバー部材１４の過度な押し下げに対しては、レバー部材１４の曲げ頂部１４Ｃが底板１２の裏面に当接してストッパとして作用するようになっている。
【００２７】
このように、底板１２に形成された２本の長孔１２Ｂ、１２Ｂ、２列に形成された複数の位置決め孔１２Ｃ、１２Ｃ、…、ガイドピン１５、１５、レバー部材１４、支柱１６、１６、圧縮バネ１７、１７、Ｅ−リング１８、１８、及びワッシャ１９、１９とで用紙ガイド板１３の位置を変更するスライド手段２０を構成している。
【００２８】
次に、以上のように構成されたプリンタの用紙スタッカ１０の作用について説明する。先ず最初に、印字された用紙Ｐを排出するプリンタ５０の排出口５１の高さ、用紙Ｐの積層高さ、及び用紙Ｐの長さを勘案して、底板１２の取付け傾斜角を調整する。
【００２９】
底板１２の取付け傾斜角を調整するには、底板１２の上方折曲げ部１２Ｅを把持して、底板１２の左右の側面折曲げ部１２Ｄに取付けられた第２のガイドピン２３を側板１１Ａに形成されたＦ字形状の第２のガイド長孔１１Ｃに沿って移動させ、所望の位置にセットする。この時、底板１２の左右の側面折曲げ部１２Ｄに取付けられた第１のガイドピン２２は、側板１１Ａに形成された第１のガイド長孔１１Ｂと係合してスライドするとともに、底板１２の傾斜回転の支点になっている。
【００３０】
次いで用紙ガイド板１３の位置調整を行う。用紙ガイド板１３の位置調整を行うには、底板１２の開口部１２Ｇから突き出ているレバー部材１４を圧縮バネ１７、１７のばね力に逆らって下方に押し下げて、レバー部材１４に取付けられている位置決めピン２１、２１を底板１２の位置決め孔１２Ｃ、１２Ｃから離脱させ、ガイドピン１５、１５と底板１２の長孔１２Ｂ、１２Ｂに案内された用紙ガイド板１３を所望の位置へスライド移動させるとともに、レバー部材１４の押し下げを戻しながら位置微調整を行って位置決めピン２１、２１を近傍の位置決め孔１２Ｃ、１２Ｃに係合させる。これにより用紙ガイド板１３は所望の位置に位置決め固定される。
【００３１】
底板１２の取付け傾斜角の調整と用紙ガイド板１３の位置調整が終了すると、用紙スタッカ１０の底板１２はプリンタ５０の排出口５１の下方にセットされる。プリンタ５０から排出される用紙Ｐは、用紙ガイド板１３に規制されて底板１２の上面に順次積層されて回収される。また、用紙ガイド板１３に抜き穴で形成された窓１３Ｃを通して用紙Ｐの積層高さが手前側からでも容易に確認できる。
【００３２】
このように、本発明に係るプリンタの用紙スタッカ１０によれば、プリンタ５０の排出口５１の高さ、用紙の積層高さ、及び用紙の長さによって変更される底板１２の取付け傾斜角の調整と、用紙ガイド板１３の用紙搬出方向の位置調整は、どちらも容易に確実にワンタッチで行うことができる。
【００３３】
なお、前述した実施の形態においては、底板１２の取付け傾斜角が３段階に変更可能に構成されていたが、本発明はこれに限らず、２段階以上、あるいは連続的な無段階に調整可能な構造をとってもよい。また、用紙ガイド板１３の位置調整も、位置決め孔１２Ｃに位置決めピン２１を挿入する段階方式で説明したが、無段階に調整可能な構造をとしてもよい。
【００３４】
無段階調整機構としては、種々の既知のガイド方式と種々の既知のクランプ方式とを用いた様々な形態を採用することができる。
【００３５】
【発明の効果】
以上説明したように本発明のプリンタの用紙スタッカによれば、用紙の排出方向下流側で用紙を受ける用紙ガイド板は、スライド手段によって取付け位置を変更できるとともに、用紙を積載する底板の取付け傾斜角を傾斜調整手段によって変更できるので、プリンタの用紙排出口の高さ、用紙の寸法、及び用紙の積層高さに応じて、用紙ガイド板の取付け位置を容易にワンタッチで変更することができるとともに、用紙を積載する底板の取付け傾斜角も、工具等を用いることなく容易にワンタッチで変更することができる。
【図面の簡単な説明】
【図１】本発明に係るプリンタの用紙スタッカをプリンタに併設した状態を表わす斜視図
【図２】本発明に係るプリンタの用紙スタッカの側断面図
【図３】図２におけるＡ−Ａ断面図
【図４】図２におけるＢ−Ｂ断面図
【符号の説明】
１０…用紙スタッカ、１１…本体フレーム、１１Ａ…側板、１１Ｂ…第１のガイド長孔、１１Ｃ…第２のガイド長孔、１２…底板、１２Ｂ…長孔、１２Ｃ…位置決め孔、１３…用紙ガイド板、１４…レバー部材、１５…ガイドピン、１６…支柱、１７…圧縮バネ、２０…スライド手段、２１…位置決めピン、２２…第１のガイドピン、２３…第２のガイドピン、３０…傾斜調整手段、５０…プリンタ、５１…排出口、Ｐ…用紙
【図１】
2004203549.tif 000003
【図２】
2004203549.tif 000004
【図３】
2004203549.tif 000005
【図４】
2004203549.tif 000006